(57)【要約】【課題】細物電線に大きな力が加わることを抑制する技術を提供する。【解決手段】治具は、太物電線を支持する第１支持部と、第１支持部と一体的に設けられ太物電線と同一の延在方向に沿って配される細物電線を該延在方向に直交する面内で太物電線よりも外周側で支持する第２支持部と、を備える。この治具を用いることで、物電線と、延在方向に直交する面内で太物電線よりも外周側に位置する細物電線と、を有する電線構造を容易に製造することができる。この電線構造では、太物電線が外周側に配されることに起因して細物電線に大きな力が加わることが抑制される。【選択図】図６
2018181691.tif 000002
【特許請求の範囲】
【請求項１】
複数の電線と、
前記複数の電線を結束する結束部と、
を備え、
前記結束部に結束された箇所において、前記複数の電線は、太物電線と、前記複数の電線の延在方向に直交する面内で前記太物電線よりも外周側に位置する細物電線と、を有する、電線構造。
【請求項２】
太物電線を支持する第１支持部と、
前記第１支持部と一体的に設けられ、前記太物電線と同一の延在方向に沿って配される細物電線を、前記延在方向に直交する面内で前記太物電線よりも外周側で支持する第２支持部と、
を備える治具。
【請求項３】
請求項２に記載の治具であって、
前記第１支持部は、Ｕ字状で且つその内部に前記太物電線を支持する第１部分を有し、
前記第２支持部は、前記第１部分の周囲に設けられた前記第１部分よりも大きいＵ字状で且つ前記第１部分との間で前記細物電線を支持する第２部分を有する、治具。
【請求項４】
請求項３に記載の治具であって、
前記第１部分は、Ｕ字状の底辺に相当する基部からＵ字状の２つの先端部に向けて徐々に立ち上がる２つの移行部を有する、治具。
【請求項５】
請求項４に記載の治具であって、
前記２つの移行部のうち前記第２部分側の外面は平坦な傾斜面である、治具。
【請求項６】
請求項２から請求項５までのいずれか１項に記載の治具と、
前記治具に並設されて、前記第１支持部に支持された前記太物電線を支持する補助冶具と、
を備える治具セット。
【請求項７】
太物電線と細物電線とを束ねて有する電線構造を製造する方法であって、
請求項２から請求項５までのいずれか１項に記載の治具または請求項６に記載の治具セットのうち、前記第１支持部に太物電線を支持させ、前記第２支持部に細物電線を支持させる支持工程と、
前記第１支持部に支持された前記太物電線および前記第２支持部に支持された前記細物電線を、前記治具の隣りで結束する結束工程と、
結束された前記太物電線および前記細物電線を前記治具から取り外す取外し工程と、
を備える電線構造の製造方法。
【発明の詳細な説明】
【技術分野】
【０００１】
この発明は、太物電線と細物電線とを有する電線構造に関する。
【背景技術】
【０００２】
特許文献１は、導体断面積が大きい複数の太物電線と導体断面積が小さい複数の細物電線とを束ねてた電線構造を開示している。
【０００３】
特許文献２は、複数の電線を束ねた電線構造を製造する際に用いられる治具を開示している。
【先行技術文献】
【特許文献】
【０００４】
【特許文献１】特開２００９−１７０１７７号公報
【特許文献２】特開２００９−２７７４７２号公報
【発明の概要】
【発明が解決しようとする課題】
【０００５】
太物電線と細物電線とを束ねた電線構造が屈曲して配索されると、その屈曲部位において細物電線に大きな力が加わるおそれがある。例えば、屈曲部位において太物電線が内縁側に位置し細物電線が外縁側に位置する場合、屈曲によって細物電線が延在方向に沿って伸長されて、該細物電線に大きな力が加わることがある。他方、屈曲部位において太物電線が外縁側に位置し細物電線が内縁側に位置する場合、細物電線が急角度で屈曲されて、該細物電線に大きな力が加わることがある。
【０００６】
また、太物電線と細物電線とを束ねた電線構造が振動の多い箇所（例えば、車両においてエンジンに直結する箇所）に配索された場合も、上記と同様に、細物電線に大きな力が加わるおそれがある。
【０００７】
そこで、本発明は、細物電線に大きな力が加わることを抑制する技術を提供することを目的とする。
【課題を解決するための手段】
【０００８】
上記課題を解決するため、第１の態様に係る電線構造は、複数の電線と、前記複数の電線を結束する結束部と、を備え、前記結束部に結束された箇所において、前記複数の電線は、太物電線と、前記複数の電線の延在方向に直交する面内で前記太物電線よりも外周側に位置する細物電線と、を有する。
【０００９】
第２の態様に係る治具は、太物電線を支持する第１支持部と、前記第１支持部と一体的に設けられ、前記太物電線と同一の延在方向に沿って配される細物電線を、前記延在方向に直交する面内で前記太物電線よりも外周側で支持する第２支持部と、を備える。
【００１０】
第３の態様に係る治具は、第２の態様に係る治具であって、前記第１支持部は、Ｕ字状で且つその内部に前記太物電線を支持する第１部分を有し、前記第２支持部は、前記第１部分の周囲に設けられた前記第１部分よりも大きいＵ字状で且つ前記第１部分との間で前記細物電線を支持する第２部分を有する。
【００１１】
第４の態様に係る治具は、第３の態様に係る治具であって、前記第１部分は、Ｕ字状の底辺に相当する基部からＵ字状の２つの先端部に向けて徐々に立ち上がる２つの移行部を有する。
【００１２】
第５の態様に係る治具は、第４の態様に係る治具であって、前記２つの移行部のうち前記第２部分側の外面は平坦な傾斜面である。
【００１３】
第６の態様に係る治具セットは、第２から第５までのいずれか１つの態様に係る治具と、前記治具に並設されて、前記第１支持部に支持された前記太物電線を支持する補助冶具と、を備える。
【００１４】
第７の態様に係る電線構造の製造方法は、太物電線と細物電線とを束ねて有する電線構造を製造する方法であって、第２から第５までのいずれか１つの態様に係るまたは第６の態様に係る治具セットのうち、前記第１支持部に太物電線を支持させ、前記第２支持部に細物電線を支持させる支持工程と、前記第１支持部に支持された前記太物電線および前記第２支持部に支持された前記細物電線を、前記治具の隣りで結束する結束工程と、結束された前記太物電線および前記細物電線を前記治具から取り外す取外し工程と、を備える。
【発明の効果】
【００１５】
第１の態様によると、結束部に結束された箇所において、複数の電線は、太物電線と、複数の電線の延在方向に直交する面内で太物電線よりも外周側に位置する細物電線と、を有する。よって、太物電線が外周側に配されること（例えば、屈曲部位において太物電線が内縁側もしくは外縁側に位置すること）に起因して細物電線に大きな力が加わることが抑制される。
【００１６】
第２〜第５の態様によると、冶具を用いることで、太物電線と、延在方向に直交する面内で太物電線よりも外周側に位置する細物電線と、を有する電線構造を容易に製造することができる。この電線構造では、太物電線が外周側に配されることに起因して細物電線に大きな力が加わることが抑制される。
【００１７】
第３の態様によると、冶具を用いることで、太物電線と、延在方向に直交する面内で太物電線よりも外周側に位置する細物電線と、を有する電線構造を特に容易に製造することができる。この電線構造では、太物電線が外周側に配されることに起因して細物電線に大きな力が加わることが抑制される。
【００１８】
第４の態様によると、２つの移行部がＵ字状の底辺に相当する基部からＵ字状の２つの先端部に向けて徐々に立ち上がっている。よって、第１部分の基部と第２部分の基部との間に支持された細物電線を治具から取出す際に、２つの移行部が細物電線の移動を阻害し難い。
【００１９】
第５の態様によると、第１部分の基部と第２部分の基部との間に支持された細物電線を治具から取出す際に、細物電線が２つの移行部の傾斜面に沿って案内される。よって、２つの移行部が細物電線の移動を特に阻害し難い。
【００２０】
第６の態様によると、補助冶具を用いることで太物電線を安定した姿勢で支持することができ、太物電線と、延在方向に直交する面内で太物電線よりも外周側に位置する細物電線と、を有する電線構造を容易に製造することができる。この電線構造では、太物電線が外周側に配されることに起因して細物電線に大きな力が加わることが有効に抑制される。
【００２１】
第７の態様によると、冶具または治具セットを用いることで、太物電線と、延在方向に直交する面内で太物電線よりも外周側に位置する細物電線と、を有する電線構造を容易に製造することができる。この電線構造では、太物電線が外周側に配されることに起因して細物電線に大きな力が加わることが抑制される。
【図面の簡単な説明】
【００２２】
【図１】本実施形態に係る電線構造を示す概略断面図である。
【図２】比較例に係る電線構造を示す概略断面図である。
【図３】製造支援装置を示す概略斜視図である。
【図４】第１冶具を示す概略側面図である。
【図５】第２冶具を示す概略側面図である。
【図６】第１支持部が太物電線を支持し、第２支持部が細物電線を支持する様子を示した概略断面図である。
【図７】第３治具を示す概略側面図である。
【図８】変形例にかかる第２冶具を示す概略側面図である。
【図９】変形例にかかる第２冶具を示す概略側面図である。
【発明を実施するための形態】
【００２３】
｛実施形態｝
以下、実施形態に係る電線構造９について説明する。図１は、本実施形態に係る電線構造９を示す概略断面図である。以下では、一例として、電線構造９が自動車用のワイヤーハーネスである場合について説明する。
【００２４】
電線構造９は、導電部の周囲が被覆された複数の電線９０と、該複数の電線９０を結束する結束部９３と、を有する。
【００２５】
結束部９３は、複数の電線９０を束ねた状態を維持するための部分であり、ここでは結束テープで構成される。なお、結束部９３としては、結束テープに代えて種々の部材（例えば、結束バンド）が利用されてもよい。
【００２６】
複数の電線９０は、断面積が大きい複数の太物電線９１と、断面積が小さい複数の細物電線９２と、を有する。ここでは、太物電線９１とはその断面積が２０ｍｍ２以上の電線であり、細物電線９２とはその断面積が２０ｍｍ２より小さい電線である。
【００２７】
また、ここでは、複数の太物電線９１の導体部および断面積が同一であり、複数の細物電線９２の導体部および断面積が同一である場合について説明する。なお、複数の太物電線９１が導体部や断面積の異なる複数種類の電線を含んで構成されてもよいし、複数の細物電線９２が導体部や断面積の異なる複数種類の電線を含んで構成されてもよい。各導体部の素材は、単一金属および合金のいずれであってもよく、公知の種々の素材（例えば、アルミニウムや銅を主成分とした素材）を利用しうる。
【００２８】
また、ここでは、図１に示すように、複数の太物電線９１の本数が３本であり、複数の細物電線９２の本数が２０本である場合について説明するが、各電線の本数も図示の例に限られず適宜に変更可能である。
【００２９】
電線構造９のうち結束部９３に結束された箇所では、複数の電線９０の延在方向に直交する面（図１における紙面）内において、複数の細物電線９２が複数の太物電線９１よりも外周側に位置する。よって、太物電線９１が外周側に配されること（例えば、電線構造９の屈曲部位において太物電線９１が内縁側もしくは外縁側に位置すること）に起因して細物電線９２に大きな力が加わることが抑制される。
【００３０】
特に、本実施形態では、上記面内において、複数の細物電線９２が複数の太物電線９１の外周側の全周に隙間なく配される。よって、複数の太物電線９１が上記面内において中央側の位置に安定しやすく、太物電線９１が外周側に配されることに起因して細物電線９２に大きな力が加わることが有効に抑制される。なお、複数の細物電線９２が複数の太物電線９１の外周側の全周に隙間なく配されることは必須ではなく、隙間があっても構わない。
【００３１】
電線構造９の各端部では、例えば、１つまたは複数の電線９０の端部が共通するコネクタに挿入される。また、電線構造９の途中部分には、電線保護用のコルゲートチューブや、防水用のグロメット、車体に対して電線構造９を固定するための固定具等の外装部品が取付けられる。そして、電線構造９が車両に組付けられた状態で、各コネクタが車両に搭載された各種電気部品に接続されることで、当該各種電気部品同士が本電線構造９を通じて電気的に接続される。
【００３２】
図２は、比較例に係る電線構造９Ａを示す概略断面図である。なお、電線構造９Ａにおいて、電線構造９と同一の構成について同一の符号を付して重複説明を省略する。
【００３３】
電線構造９Ａが電線構造９と異なるのは、複数の太物電線９１および複数の細物電線９２の位置関係のみである。
【００３４】
電線構造９Ａのうち結束部９３に結束された箇所では、複数の電線９０の延在方向に直交する面（図２における紙面）内において、複数の太物電線９１が一方側（図示右上側）に位置し、複数の細物電線９２が他方側（図示左下側）に位置する。
【００３５】
電線構造９Ａが屈曲して車両に配索されると、該電線構造９Ａの屈曲部位において細物電線９２に大きな力が加わるおそれがある。例えば、屈曲部位において太物電線９１が内縁側に位置し細物電線９２が外縁側に位置する場合、屈曲によって細物電線９２が延在方向に沿って伸長されて、該細物電線９２に大きな力が加わることがある。他方、屈曲部位において太物電線９１が外縁側に位置し細物電線９２が内縁側に位置する場合、細物電線９２が急角度で屈曲されて、該細物電線９２に大きな力が加わることがある。
【００３６】
よって、本実施形態に係る電線構造９のように、断面視において中央側に複数の太物電線９１を配し外周側に複数の細物電線９２に配することで、細物電線９２に大きな力が加わることを抑制することが望ましい。
【００３７】
次に、電線構造９を製造するための製造支援装置１０について説明する。図３は製造支援装置１０を示す概略斜視図である。
【００３８】
製造支援装置１０は、車両等において各種電気機器同士を接続する配線であるワイヤーハーネスとして電線構造９を製造する際に用いられる。
【００３９】
製造支援装置１０は、板状の図板２０と、図板２０を傾斜して支持する支持フレーム２２と、図板２０上に設けられる複数の治具３０と、を備える。以下では、図板２０の傾斜のうち下方側に位置する作業者が、対面する図板２０上で手作業によって電線構造９の製造を行う場合について説明する。ただし、ロボット等を用いて、自動的に電線構造９の製造が行われてもよい。
【００４０】
図板２０は、作業者が複数の電線９０を展開して布線するための板状の部材であり、各電線９０の姿勢を維持するために用いられる。図板２０には、単体の電線９０が配索されてもよいし仮結９５が配索されてもよい。ここで、仮結９５とは、図板２０に配索される前の段階で複数の電線９０のうち一群の電線９０がまとめて結束されたものである。一群の電線９０は、例えば、一端部の端子を共通する接続先となるコネクタに挿入接続しておくこと等により、仮結９５として１つの形態にまとめられる。図３では、仮結９５として、１つの仮結９５１と２つの仮結９５２が二点鎖線で示されている。なお、仮結９５１は３本の太物電線９１をまとめた仮結であり、２つの仮結９５２はそれぞれが１０本の細物電線９２をまとめた仮結である。
【００４１】
治具３０は、第１冶具３１と、第２冶具３２と、第３治具３３とを有する。なお、図示の例では、１０個の第１冶具３１と２個の第２冶具３２と１個の第３治具３３とが描かれているが、各治具の個数および配置は適宜に変更可能である。
【００４２】
各治具３０は、電線構造９の製造形態に応じた経路に沿った各位置、特に、電線構造９の各端部が配設される位置、電線構造９の分岐部分等に設けられている。そして、仮結９５に含まれる電線９０等を各治具３０に保持させることで、複数の電線９０を電線構造９の製造形態に応じた経路に沿って保持することができる。
【００４３】
図４は、第１冶具３１を示す概略側面図である。図４に示すように、第１冶具３１は、棒状部３１０と、棒状部３１０の上に設けられたＵ字状部３１１と、を有する。よって、作業者が電線９０をＵ字状部３１１に配設することで、該電線９０を図板２０上の一定位置に保持することができる。なお、第１冶具３１としては、上記構成の他、フォーク状のもの、コネクタを嵌め込んで保持可能な構成等を用いてもよい。
【００４４】
図５は、第２冶具３２を示す概略側面図である。図５に示すように、第２冶具３２は、太物電線９１を支持する第１支持部３２５と、第１支持部３２５と一体に設けられ、細物電線９２を支持する第２支持部３２６と、を有する。
【００４５】
第１支持部３２５は、棒状部３２０と、棒状部３２０の上に設けられたＵ字状部３２１と、を有する支持部であり、第１冶具３１を小型化した部材である。Ｕ字状部３２１は、Ｕ字状で且つその内部に太物電線９１を支持する第１部分として機能する。
【００４６】
第２支持部３２６は、棒状部３２２と、棒状部３２２の上に設けられたＵ字状部３２３と、を有する支持部であり、第１冶具３１と略同一形状の部材である。Ｕ字状部３２３は、Ｕ字状部３２１の周囲に設けられたＵ字状部３２１よりも大きいＵ字状で且つＵ字状部３２１との間で細物電線９２を支持する第２部分として機能する。
【００４７】
図６は、第１支持部３２５が太物電線９１を支持し、第２支持部３２６が細物電線９２を支持する様子を示した概略断面図である。また、図６では、図３に示す仮結９５１（３本の太物電線９１の束）および２つの仮結９５２（合計の２０本の細物電線９２の束）が点線で描かれている。
【００４８】
図６に示すように、第２冶具３２では、第１支持部３２５が、延在方向（図示の紙面に直交する方向）に沿って配される各電線９０のうち太物電線９１を支持する。また、第２支持部３２６が、該延在方向に沿って配される各電線９０のうち細物電線９２を該延在方向に直交する面（図示紙面に平行な面）内で太物電線９１よりも外周側で支持する。
【００４９】
また、Ｕ字状部３２１は、Ｕ字状の底辺に相当する基部３２１ａと、基部３２１ａからＵ字状の２つの先端部３２１ｂに向けて徐々に立ち上がる２つの移行部３２１ｃと、２つの移行部３２１ｃに対して基部３２１ａの他端側に設けられ上方に伸びる２つの支持棒部３２１ｄと、を有する。同様に、Ｕ字状部３２３は、Ｕ字状の底辺に相当する基部３２３ａと、基部３２３ａからＵ字状の２つの先端部３２３ｂに向けて徐々に立ち上がる２つの移行部３２３ｃと、２つの移行部３２３ｃに対して基部３２３ａの他端側に設けられ上方に伸びる２つの支持棒部３２３ｄと、を有する。
【００５０】
第２冶具３２では、Ｕ字状部３２１の基部３２１ａよりも上記面内で下方側にＵ字状部３２３の基部３２３ａが位置する。また、Ｕ字状部３２１の２つの移行部３２１ｃよりも上記面内で左右両側かつ下方側にＵ字状部３２３の２つの移行部３２３ｃが位置する。Ｕ字状部３２１の２つの支持棒部３２１ｄよりも上記面内で左右両側にＵ字状部３２３の２つの支持棒部３２３ｄが位置する。よって、図６に示すように、隣り合う基部３２１ａ，３２３ａの間、隣り合う移行部３２１ｃ，３２３ｃの間、および隣り合う支持棒部３２１ｄ，３２３ｄの間のそれぞれに、細物電線９２を配置することができる。
【００５１】
また、Ｕ字状部３２１の２つの先端部３２１ｂは、Ｕ字状部３２３の２つの先端部３２３ｂよりも低い位置に設けられる。よって、図６に示すように、２つの先端部３２３ｂよりも下側で且つ２つの先端部３２１ｂよりも上側の部分に細物電線９２を配置することができる。
【００５２】
このような構成となっているため、第２冶具３２は、上記面内において太物電線９１の外周側の全周に細物電線９２を配置した状態を維持することができる。
【００５３】
図７は、第３治具３３を示す概略側面図である。図７に示すように、第３治具３３は、棒状部３３０と、棒状部３３０の上に設けられたＵ字状部３３１と、を有する。第３治具３３のＵ字状部３３１は、第２冶具３２のＵ字状部３２１と略同一の形状であり、Ｕ字状の内部に太物電線９１を支持する部分である。
【００５４】
また、図３に示すように、第３治具３３は第２冶具３２に並設される。このように、第３治具３３は、該第２冶具３２の第１支持部３２５が支持する太物電線９１を支持する補助冶具として機能する。このように、第２冶具３２（図３の例では図示右側の第２冶具３２）と第３治具３３との治具セットでは、補助冶具としての第３治具３３を用いることで太物電線９１を安定した姿勢で支持することができる。
【００５５】
電線構造９を製造する際には、まず、作業者は、複数の電線９０を各治具３０に支持させて図板２０上に布線する。この際、作業者は、第１支持部３２５に太物電線９１を支持させ第２支持部３２６に細物電線９２を支持させる（支持工程）。これにより、第２冶具３２に支持された部分では、図６に示すように、太物電線９１の外周側に細物電線９２が支持された状態を維持することができる。
【００５６】
その後、作業者は、上記状態を維持しつつ、図板２０上に布線された各電線９０の所定箇所を上記した結束部９３を用いて結束する。この際、作業者は、第１支持部３２５に支持された太物電線９１および第２支持部３２６に支持された細物電線９２を第２冶具３２の少なくとも一方側の隣りで結束する（結束工程）。この結束工程では、複数の電線９０の延在方向に沿って第２冶具３２の一方側の隣りで太物電線９１および細物電線９２が結束されてもよいし、第２冶具３２の両側の隣りで太物電線９１および細物電線９２が結束されてもよい。
【００５７】
最後に、作業者は、結束された各複数の電線９０を各治具３０から取り外す。この際、作業者は、太物電線９１および細物電線９２を第２冶具３２から取り外す（取外し工程）。取外し工程では、作業者は、結束部９３により一体となった太物電線９１および細物電線９２を第２冶具３２の上方開口よりも上側に持ち上げて、これらを第２冶具３２から取り外す。その結果、図１に示した電線構造９が得られる。
【００５８】
なお、この取外し工程では、作業者が複数の電線９０をそのまま上側に持ち上げたとしても、基部３２１ａと基部３２３ａとの間に配される細物電線９２が基部３２１ａの下面に引っ掛かる場合がある。この場合、作業者は基部３２１ａと基部３２３ａとの間に配される細物電線９２を上記した上方開口に向けて左右両側に移動させつつ持ち上げることで、これらを第２冶具３２から取り外すことができる。このように、結束部９３によって複数の電線９０が結束された状態であっても、作業者が各電線９０を多少ばらつかせて移動させることが可能である。
【００５９】
本実施形態では、延在方向に直交する面内で太物電線９１の外周側に細物電線９２を位置決めする第２冶具３２を用いることで、太物電線９１と太物電線９１よりも外周側に位置する細物電線９２とを有する電線構造９を容易に製造することができる。この電線構造９では、太物電線９１が外周側に配されることに起因して細物電線９２に大きな力が加わることが抑制される。
【００６０】
また、上記のようにサイズの異なる２つのＵ字状部３２１、３２３を用いることで、太物電線９１と太物電線９１よりも外周側に位置する細物電線９２とを有する電線構造９を特に容易に製造することができる。
【００６１】
また、上記のように治具セットを用いることで、太物電線９１を安定した姿勢で支持することができ、太物電線９１と太物電線９１よりも外周側に位置する細物電線９２とを有する電線構造９を特に容易に製造することができる。
【００６２】
また、Ｕ字状部３２１は基部３２１ａからＵ字状の２つの先端部３２１ｂに向けて徐々に立ち上がる２つの移行部３２１ｃを有し、Ｕ字状部３２３は基部３２３ａからＵ字状の２つの先端部３２３ｂに向けて徐々に立ち上がる２つの移行部３２３ｃを有する。よって、Ｕ字状部３２１の基部３２１ａとＵ字状部３２３の基部３２３ｃとの間に支持された細物電線９２を治具３２から取出す際に、２つの移行部３２１ｃが細物電線９２の移動を阻害し難い。
【００６３】
なお、Ｕ字状部３２１，３２３が移行部３２１ｃ，３２３ｃを有することは必須ではなく、Ｕ字状部３２１，３２３が移行部を有さない形状（基部の両側が上方に屈曲された、いわゆるコの字状）であってもよい。
【００６４】
こうして製造された電線構造９は、自動車用のワイヤーハーネスとして利用される。特に、電線構造９のうち製造過程で２つの第２冶具３２の間に配された部分では、上記のように細物電線９２に大きな力が加わることが抑制される。よって、電線構造９を車両に配索する際には、上記部分で電線構造９を屈曲して配索する態様、または上記部分を振動の多い箇所（例えば、車両においてエンジンに直結する箇所）に配索する態様が考えられる。これにより、電線構造９を構成する全体のうち特に細物電線に大きな力が加わりやすい屈曲箇所や振動箇所について、太物電線９１と細物電線９２との配置関係によって上記大きな力を緩和することができる。
【００６５】
｛変形例｝
以下では、上記実施形態の変形例について説明する。なお、上記実施形態における各部との共通点については、同一の符号を付して繰り返しの説明を避ける。
【００６６】
まず、図８を参照して、第２冶具についての変形例を説明する。図８は、第２冶具３２Ａを示す概略側面図である。
【００６７】
図８に示す変形例では、第２冶具３２Ａが第１支持部３２５Ａと第２支持部３２６とを有する。ここで、第１支持部３２５Ａは、棒状部３２０と、該棒状部３２０の上に設けられたＵ字状部３２１Ａとを有する。
【００６８】
ここで、変形例に係るＵ字状部３２１Ａと上記実施形態に係るＵ字状部３２１とでは移行部の形状が異なる。具体的には、上記実施形態における２つの移行部３２１のうちＵ字状部３２３側の外面は凸状の曲面であったが、本変形例に係る２つの移行部３２１ｃＡのうちＵ字状部３２３側の外面は平坦な傾斜面である。
【００６９】
このため、Ｕ字状部３２１の基部３２１ａとＵ字状部３２３の基部３２３ｃとの間に支持された細物電線９２を治具３２Ａから取出す際に、細物電線９２が２つの移行部３２１ｃＡの傾斜面に沿って案内される。よって、２つの移行部３２１ｃＡが細物電線９２の移動を特に阻害し難い。
【００７０】
また、さらに異なる変形例として、左右方向に伸びる基部３２１ａが省略されて、棒状部３２０に対して直接的に２つの移行部３２１ｃ（もしくは、２つの移行部３２１ｃＡ）が設けられてもよい。
【００７１】
次に図９を参照して、第２冶具についての他の変形例を説明する。図９は、第２冶具３２Ｂを示す概略側面図である。
【００７２】
図９に示す変形例では、第２冶具３２Ｂが、棒状部３２１Ｂと、棒状部３２１Ｂの上に設けられ棒状部３２２Ｂと直交する方向に伸びる基部３２２Ｂと、基部３２２Ｂの延在方向に沿って間隔をあけて該基部３２２Ｂから上向きに伸びる４本の支持棒部３２３Ｂと、を有する。すなわち、第２冶具３２Ｂは、隣り合う支持棒部３２３Ｂの間（本変形例では３箇所）に電線９０を支持可能なフォーク状の部材である。
【００７３】
本変形例に係る第２冶具３２Ｂでは、中央側に位置する２つの支持棒部３２３Ｂがそれらの間に太物電線９１を支持する第１支持部として機能する。また、中央側に位置する支持棒部３２３Ｂおよび外側に位置する支持棒部３２３Ｂは、第１支持部と一体的に設けられ太物電線９１よりも外周側で細物電線９２を支持する第２支持部として機能する。
【００７４】
これにより、第２冶具３２Ｂは、太物電線９１の外周側の両側方に細物電線９２を配置した状態を維持することができる。この第２冶具３２Ｂでは、上記実施形態の第２冶具３２とは異なり、第１支持部の下方に細物電線９２が配されることがない。よって、作業者が第２冶具３２Ｂに支持される複数の電線９０をそのまま上側に持ち上げたとしても、細物電線９２の一部が第１支持部に引っ掛かるという事態は生じない。
【００７５】
また、さらに異なる変形例として、４本の支持棒部３２３Ｂのうち内側に位置する２本の支持棒部３２３Ｂの上端が、外側に位置する２本の支持棒部３２３Ｂの上端よりも低くても構わない。この場合、第２冶具３２Ｂが、太物電線９１の外周側の両側方および上方に細物電線９２を配置した状態を維持することができる。
【００７６】
このように、中央側に太物配線９１を支持し且つ外周側に細物電線９２を支持する治具において、Ｕ字状の部材を用いて構成されることは必須ではなく、種々の形状の部材を用いることができる。
【００７７】
なお、上記実施形態及び各変形例で説明した各構成は、相互に矛盾しない限り適宜組み合わせることができる。
【００７８】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７９】
９，９Ａ  電線構造
９１  太物電線
９２  細物電線
１０  製造支援装置
２０  図板
３０  治具
３１  第１冶具
３２，３２Ａ，３２Ｂ  第２冶具
３２１，３２１Ａ，３２３  Ｕ字状部
３３  第３治具
【図１】
2018181691.tif 000003
【図２】
2018181691.tif 000004
【図３】
2018181691.tif 000005
【図４】
2018181691.tif 000006
【図５】
2018181691.tif 000007
【図６】
2018181691.tif 000008
【図７】
2018181691.tif 000009
【図８】
2018181691.tif 000010
【図９】
2018181691.tif 000011